(57)【要約】【課題】誘導加熱用コイルを所望の部位に容易に取り付けることができるようにすること。【解決手段】誘導加熱を行う部材に取り付ける誘導加熱用シート６０に、誘導加熱時に高周波電流を通電する誘導加熱用コイル６１と、型枠８０が有する型溝８１に入れた状態の誘導加熱用コイル６１を接着した後、型溝８１から誘導加熱用コイル６１を抜き取ることにより誘導加熱用コイル６１が型溝８１に沿った配線パターンで接着されるシート６２と、を備える。このため、このシート６２を所望の部位に取り付けることにより、誘導加熱用コイル６１を型溝８１に沿った配線パターンのまま、所望の部位に寄り付けることができる。この結果、誘導加熱用コイル６１を所望の部位に容易に取り付けることができる。【選択図】図１４
2011243417.tif 000002
【特許請求の範囲】
【請求項１】
誘導加熱時に高周波電流を通電する誘導加熱用コイルと、
パターン枠に入れた状態の前記誘導加熱用コイルを接着した後、前記パターン枠から前記誘導加熱用コイルを抜き取ることにより前記誘導加熱用コイルが前記パターン枠に沿ったパターンで接着されるシートと、
を備えることを特徴とする誘導加熱用シート。
【請求項２】
前記誘導加熱用コイルは、表面が絶縁性のある保護被膜で覆われていることを特徴とする請求項１に記載の誘導加熱用シート。
【請求項３】
前記シートには、前記誘導加熱用コイルが接着されている側の面の反対側の面に、他の部材に対して接着可能な接着層が設けられていることを特徴とする請求項１または２に記載の誘導加熱用シート。
【請求項４】
着座面を有する便座本体部と、
前記便座本体部に取り付けられる請求項１〜３のいずれか１項に記載の誘導加熱用シートと、
前記便座本体部における前記誘導加熱用シートよりも前記着座面側に配設され、且つ、前記誘導加熱用シートが有する前記誘導加熱用コイルに高周波電流を通電することにより発熱する発熱体と、
を備えることを特徴とする暖房便座。
【請求項５】
さらに、前記誘導加熱用シートから見た場合における前記発熱体が位置する側の反対側に配設され、且つ、電気の抵抗値が前記発熱体の抵抗値以下の金属からなるシールド部が設けられていることを特徴とする請求項４に記載の暖房便座。
【請求項６】
さらに、前記誘導加熱用シートを、前記便座本体部に取り付けられている方向に押圧する押圧手段が設けられていることを特徴とする請求項４または５に記載の暖房便座。
【請求項７】
誘導加熱時に高周波電流を通電する誘導加熱用コイルをパターン枠に入れる手順と、
前記パターン枠に入れた状態の前記誘導加熱用コイルに対してシートを接着する手順と、
前記パターン枠に沿ったパターンで前記シートに接着された前記誘導加熱用コイルを前記パターン枠から抜き取る手順と、
を含むことを特徴とする誘導加熱用シートの製造方法。
【発明の詳細な説明】
【技術分野】
【０００１】
本発明は、誘導加熱用シート、暖房便座及び誘導加熱用シートの製造方法に関するものである。
【背景技術】
【０００２】
近年、所望の部材を加熱する手段として、誘導加熱を用いるものが増加している。この誘導加熱は、加熱する部材として金属を使用し、この金属の近傍に配設された導線に高周波電流を流すことにより、導線の周囲の磁束を変化させて金属に誘導電流を発生させ、誘導電流に対する金属の抵抗によって、金属を加熱させる。誘導加熱では、このように高周波電流を使用するが、導線に高周波電流を流した場合、電気は主に導線の外周部を流れ、中心部には流れ難くなっている。このため、誘導加熱を行う場合は、電気が流れる部分を確保して抵抗を少なくするために、高周波電流を流す導線として、線径が細く、外周に絶縁被膜が施された素線を束ねたリッツ線を使用し、電気が流れる導線の外周部の面積を増加させている。
【０００３】
例えば、特許文献１に記載された誘導加熱用コイルの形成方法では、薄膜熱収縮チューブで固縛したリッツ線をコイル形成用治具に巻きつけてコイル状に形成し、このコイル状に形成されたリッツ線を、樹脂系モールド材によって固めることにより、リッツ線を、誘導加熱用コイルに用いている。また、特許文献２に記載された誘導加熱調理器では、リッツ線を用いて適切な誘導加熱を行うために、リッツ線を融点の異なる絶縁層と溶着層とで被覆し、溶着層同士を溶融固化させることにより、リッツ線を用いて形成される加熱コイルの形状を所望の形状で安定化させる。
【０００４】
また、このような誘導加熱は、特許文献１や特許文献２に記載されているような調理機器以外でも用いられている。例えば、特許文献３に記載された暖房便座装置では、便座に、誘導加熱に用いる誘導コイルと、この誘導コイルへの通電によって発熱する金属製の発熱体とを設けており、誘導コイルに通電して発熱体の誘導加熱を行うことにより、便座を加熱している。さらに、この特許文献３に記載された暖房便座装置では、誘導コイルを複数の種類設け、これらを組み合わせて便座に設けることにより、誘導加熱によって便座を加熱する際における温度の均一化を図っている。
【先行技術文献】
【特許文献】
【０００５】
【特許文献１】特開平１０−９２５６５号公報
【特許文献２】特開２００９−２４５６７６号公報
【特許文献３】特開２００９−２９１４６１号公報
【発明の概要】
【発明が解決しようとする課題】
【０００６】
誘導加熱は、これらのようにリッツ線を用いて形成する誘導加熱用コイルに高周波電流を流すことにより発熱体等を加熱するため、誘導加熱による温度分布を所望の温度分布にするには、誘導加熱用コイルを、目的とする温度分布に応じた形態で配設する。このため、誘導加熱用コイルは、誘導加熱を行う部材の形状に合わせつつ、目的とする温度分布に応じた形態で取り付ける必要がある。しかし、誘導加熱用コイルを取り付ける部材の形状が複雑な場合、誘導加熱用コイルを取り付ける部材に、直接誘導加熱用コイルを取り付けることは困難な場合がある。
【０００７】
誘導加熱用コイルを取り付ける部材に誘導加熱用コイルを所定の形状で取り付けることができる枠を設け、この枠に沿って手で取り付ける場合、容易に取り付けることができるが、部材にこのような枠を設けた場合、重量が重くなるため、好ましいものでは無かった。
【０００８】
また、誘導加熱用コイルを形成するリッツ線は、絶縁被膜が施された複数の細い素線を束ねたものであるが、絶縁被膜は薄膜となっており、傷付き易いため、リッツ線を、直接、誘導加熱コイルを取り付ける部材の複雑な形状に曲げて取り付けると、リッツ線の絶縁被膜に傷を付ける場合がある。このように、リッツ線の絶縁被膜に傷を付けてしまった場合、絶縁破壊が発生して高周波電流を適切に流す際の効率が低下する場合がある。これらのため、複雑な形状の部材に誘導加熱用コイルを取り付けるのは、大変困難なものとなっていた。
【０００９】
本発明は、上記に鑑みてなされたものであって、誘導加熱用コイルを所望の部位に容易に取り付けることのできる誘導加熱用シート、暖房便座及び誘導加熱用シートの製造方法を提供することを目的とする。
【課題を解決するための手段】
【００１０】
上述した課題を解決し、目的を達成するために、この発明に係る誘導加熱用シートは、誘導加熱時に高周波電流を通電する誘導加熱用コイルと、パターン枠に入れた状態の前記誘導加熱用コイルを接着した後前記パターン枠から前記誘導加熱用コイルを抜き取ることにより前記誘導加熱用コイルが前記パターン枠に沿ったパターンで接着されるシートと、を備えることを特徴とする。
【００１１】
この発明では、誘導加熱用コイルをパターン枠に入れた状態でシートに接着し、その後、パターン枠から抜き取ることにより、誘導加熱用コイルをパターン枠に沿ったパターンでシートに接着することができる。さらに、このシートを誘導加熱用コイルを取り付ける部材の所望の部位に取り付けることにより、誘導加熱用コイルをパターン枠に沿ったパターンのまま、誘導加熱用コイルを取り付ける部材の所望の部位に容易に取り付けることができる。
【００１２】
また、上記誘導加熱用シートにおいて、前記誘導加熱用コイルは、束ねたリッツ線の表面が、さらに、絶縁性のある保護被膜で覆われていることが好ましい。
【００１３】
この発明では、誘導加熱用コイルは、絶縁性のある保護被膜で覆われているので、誘導加熱用コイルの保護性を向上させることができる。これにより、誘導加熱用コイルをパターン枠に入れる際に誘導加熱用コイルに傷が付いたり破損したりすることを抑制することができ、誘導加熱用コイルの取り扱いの容易性を向上させることができる。この結果、誘導加熱用コイルを、より確実に所望の部位に容易に取り付けることができる。
【００１４】
また、上記誘導加熱用シートにおいて、前記シートには、前記誘導加熱用コイルが接着されている側の面の反対側の面に、他の部材に対して接着可能な接着層が設けられていることが好ましい。
【００１５】
この発明では、シートには接着層が設けられているので、誘導加熱用コイルが接着されているシートを、容易に他の部材に接着して取り付けることができる。この結果、誘導加熱用コイルを、より確実に所望の部位に容易に取り付けることができる。
【００１６】
上述した課題を解決し、目的を達成するために、この発明に係る暖房便座は、着座面を有する便座本体部と、前記便座本体部に取り付けられる上記誘導加熱用シートと、前記便座本体部における前記誘導加熱用シートよりも前記着座面側に配設され、且つ、前記誘導加熱用シートが有する前記誘導加熱用コイルに高周波電流を通電することにより発熱する発熱体と、を備えることを特徴とする。
【００１７】
この発明では、便座本体部に上記誘導加熱用シートを取り付けるので、発熱体が配設される便座本体部に、誘導加熱用コイルを所望のパターンで容易に取り付けることができる。この結果、誘導加熱用コイルを所望の部位に容易に取り付けることができる。
【００１８】
また、上記暖房便座において、さらに、前記誘導加熱用シートから見た場合における前記発熱体が位置する側の反対側に配設され、且つ、電気の抵抗値が前記発熱体の抵抗値以下の金属からなるシールド部が設けられていることが好ましい。
【００１９】
この発明では、電気の抵抗値が発熱体の抵抗値以下の金属からなるシールド部が設けられているので、誘導加熱時に外部への磁界の漏出を抑制できる。この結果、使い勝手のよい暖房便座を実現することができる。また、シールド部の抵抗値を発熱体の抵抗値以下にすることで、シールド部の無駄な発熱を抑制することができる。
【００２０】
また、上記暖房便座において、さらに、前記誘導加熱用シートを、前記便座本体部に取り付けられている方向に押圧する押圧手段が設けられていることが好ましい。
【００２１】
この発明では、誘導加熱用シートを、便座本体部に取り付けられている方向に押圧する押圧手段が設けられているので、誘導加熱用シートを便座本体部に取り付けた状態を維持することができ、誘導加熱用コイルを便座本体部に取り付ける際の確実性を向上させることができる。この結果、誘導加熱用コイルを所望の部位に容易に、且つ、確実に取り付けることができる。
【００２２】
上述した課題を解決し、目的を達成するために、この発明に係る誘導加熱用シートの製造方法は、誘導加熱時に高周波電流を通電する誘導加熱用コイルをパターン枠に入れる手順と、前記パターン枠に入れた状態の前記誘導加熱用コイルに対してシートを接着する手順と、前記パターン枠に沿って接着された前記誘導加熱用コイルを前記パターン枠から抜き取る手順と、を含むことを特徴とする。
【００２３】
この発明では、誘導加熱用コイルをパターン枠に入れた状態でシートに接着し、その後、パターン枠に沿ってシートに接着された誘導加熱用コイルを前記パターン枠から抜き取っている。これにより、誘導加熱用コイルをパターン枠に沿ってシートに接着することができる。このため、このシートを所望の部位に取り付けることにより、誘導加熱用コイルをパターン枠に沿って、所望の部位に容易に取り付けることができる。
【発明の効果】
【００２４】
本発明に係る誘導加熱用シートは、誘導加熱用コイルを所望の部位に容易に取り付けることができる、という効果を奏する。また、本発明に係る暖房便座は、誘導加熱用コイルを所望の部位に容易に取り付けることができる、という効果を奏する。また、本発明に係る誘導加熱用シートの製造方法は、誘導加熱用コイルを所望の部位に容易に取り付けることができる、という効果を奏する。
【図面の簡単な説明】
【００２５】
【図１】図１は、実施形態に係る暖房便座を備える便器の斜視図である。
【図２】図２は、図１に示す便座ユニットの斜視図である。
【図３】図３は、図１に示す便座ユニットを便器本体側から見た斜視図である。
【図４】図４は、便座ユニットに設けられる電気部品の説明図である。
【図５】図５は、図４のＡ−Ａ断面図である。
【図６】図６は、図４のＢ−Ｂ断面図である。
【図７】図７は、図６のＣ部詳細図である。
【図８】図８は、図６のＤ−Ｄ矢視図である。
【図９】図９は、図８に示す誘導加熱用シートに形成される誘導加熱用コイルの配線パターンの説明図である。
【図１０】図１０は、誘導加熱用コイルを型枠に嵌め込む状態を示す説明図である。
【図１１】図１１は、図１０のＥ−Ｅ矢視図である。
【図１２】図１２は、型枠に嵌め込んだ誘導加熱用コイルにシートをかぶせる状態を示す説明図である。
【図１３】図１３は、熱板で押さえてシートに誘導加熱用コイルを接着する際における説明図である。
【図１４】図１４は、誘導加熱用コイルが接着されたシートを型枠から取り外す状態を示す説明図である。
【図１５】図１５は、枠を設けて誘導加熱コイルを設ける場合における説明図である。
【図１６】図１６は、図１５のＦ−Ｆ断面図である。
【図１７】図１７は、実施形態に係る暖房便座の変形例を示す要部断面図である。
【図１８】図１８は、図１７のＧ−Ｇ断面図である。
【図１９】図１９は、実施形態に係る暖房便座の変形例を示す要部断面図である。
【発明を実施するための形態】
【００２６】
以下に、本発明に係る誘導加熱用シート、暖房便座及び誘導加熱用シートの製造方法の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２７】
〔実施形態〕
図１は、実施形態に係る暖房便座を備える便器の斜視図である。同図に示す便器１は、便器本体５の上部に、便蓋６と、実施形態に係る暖房便座５０を備える便座ユニット１０とが設けられている。これらの便蓋６と暖房便座５０とは、共に水平方向の回動軸を中心として便器本体５に対して回動可能に設けられており、便蓋６と暖房便座５０とは、この回動軸を中心として回動することにより、共に起立させたり倒したりすることが可能に設けられている。また、これらの便蓋６と暖房便座５０との回動軸は、互いに平行な向きになっており、この回動軸を中心として回動させることにより、便蓋６と暖房便座５０とを共に倒した場合には、暖房便座５０が便器本体５側となって便蓋６と暖房便座５０とが重なった状態で、便器本体５に対して閉じるように設けられている。
【００２８】
また、このうち暖房便座５０は、便器本体５の上部の縁に沿った形状で形成されており、即ち、暖房便座５０は、便器本体５に対して開口して形成されている。これに対し、便蓋６は、開口していない板状の形状で形成されている。このため、便蓋６と暖房便座５０を共に倒した場合、便蓋６は、暖房便座５０の開口部分、或いは、便器本体５を閉じる。つまり、便蓋６は、便器本体５の開閉蓋として設けられている。
【００２９】
図２は、図１に示す便座ユニットの斜視図である。図３は、図１に示す便座ユニットを便器本体側から見た斜視図である。暖房便座５０を備える便座ユニット１０は、さらに、便座ユニット１０における便器本体５への固定部分である便座支持体１２を有している。また、暖房便座５０は、当該暖房便座５０の本体部分である便座本体部５２と、この便座本体部５２に結合されると共に、暖房便座５０を倒した際に便器本体５側に位置し、便器本体５に対向する裏蓋５８とを有している。このうち、便座本体部５２は、暖房便座５０を倒した場合における当該便座本体部５２の上側の面が、便器１を使用する使用者が着座する際の着座面５３として設けられている。
【００３０】
また、便座本体部５２には、ヒンジ部５４が設けられており、暖房便座５０と便座支持体１２とは、この便座本体部５２のヒンジ部５４と便座支持体１２とが支持軸１６によって接続されることにより、この支持軸１６を介して接続されている。暖房便座５０は、この支持軸１６を中心として便座支持体１２に対して回動可能に設けられており、便座支持体１２は、便器本体５への固定部分として設けられている。このため、便座支持体１２を便器本体５に固定した状態で、暖房便座５０を、支持軸１６を中心として回動させた場合には、暖房便座５０は、便器本体５に対して回動する。
【００３１】
図４は、便座ユニットに設けられる電気部品の説明図である。図５は、図４のＡ−Ａ断面図である。暖房便座５０は、電磁誘導によって加熱を行う誘導加熱が可能に設けられている。便座ユニット１０には、この誘導加熱に用いる電気部品を含め、複数の電気部品が設けられており、これらの電気部品の制御部として、便座支持体１２には支持体側制御部２０が配設されており、暖房便座５０には便座側制御部２１が配設されている。
【００３２】
便座支持体１２は箱状に形成され、支持体側制御部２０は、便座支持体１２に内設されている。支持体側制御部２０は、外部の電源４０に接続されており、電源４０から供給された電気を、便座ユニット１０が有する各電気部品に送電している。
【００３３】
また、便座支持体１２には、支持体側制御部２０に接続されるスイッチ基板２５が設けられている。このスイッチ基板２５は、便座支持体１２の外面に位置するスイッチボタン（図示省略）を有しており、スイッチボタンの操作状態は、スイッチ基板２５から支持体側制御部２０に伝達される。支持体側制御部２０は、スイッチ基板２５から伝達されたスイッチボタンの操作状態に基づいて、便座ユニット１０が有する各電気部品の制御を行う。
【００３４】
また、暖房便座５０は、支持軸１６を介して便座支持体１２に接続されており、支持軸１６を中心として便座支持体１２に対して回動可能に設けられているが、便座支持体１２には、この支持軸１６を回動させることができる駆動モータ１５が設けられている。この
駆動モータ１５は、支持体側制御部２０によって制御可能に設けられており、駆動モータ１５を作動させて支持軸１６を回動させることにより、暖房便座５０を起立させたり倒したりすることが、電気制御によって可能になっている。
【００３５】
また、暖房便座５０は、電源４０に接続される支持体側制御部２０に対して電気的に直接接続されておらず、暖房便座５０には、給電装置３０を介して電気の供給が可能に設けられている。この給電装置３０は、便座支持体１２側に配設される送電部３１と、暖房便座５０側に配設される受電部３４とにより構成される。このうち、送電部３１は、一次側コイル３２を外周に巻き付けた一次側コア３３を有しており、支持体側制御部２０に接続されている。また、受電部３４は、二次側コイル３５を外周に巻き付けた二次側コア３６を有しており、便座側制御部２１に接続されている。
【００３６】
一次側コア３３と二次側コア３６との配置は、少なくとも暖房便座５０を倒した状態の場合に互いに近接する位置に設けられている。給電装置３０による支持体側制御部２０から暖房便座５０側への給電は、支持体側制御部２０から一次側コイル３２に対して適当な周波数の交流電流を供給することにより、二次側コイル３５で誘導起電力が発生する。このように発生した電力が、暖房便座５０に設けられる便座側制御部２１に伝達されることにより、暖房便座５０側に電気が供給される。
【００３７】
また、暖房便座５０には、本実施形態に係る誘導加熱用シート６０が配設されている。誘導加熱用シート６０が有する誘導加熱用コイル６１は、便座側制御部２１に接続されており、便座側制御部２１は、誘導加熱用コイル６１に高周波電流を送電している。また、暖房便座５０には発熱体７０が設けられており、誘導加熱用コイル６１に高周波電流を送電することにより、発熱体７０を加熱させることが可能になっている。即ち、暖房便座５０は、誘導加熱用コイル６１と発熱体７０とにより、誘導加熱が可能になっている。さらに、暖房便座５０には、サーミスタ（図示省略）等の温度検出手段が設けられており、温度検出手段での検出結果に基づいて、誘導加熱の制御を行う。
【００３８】
図６は、図４のＢ−Ｂ断面図である。図７は、図６のＣ部詳細図である。暖房便座５０には、このように誘導加熱用シート６０が設けられているが、この誘導加熱用シート６０について説明すると、誘導加熱用シート６０は、ＰＥＴ（Ｐｏｌｙｅｔｈｙｌｅｎｅ  ｔｅｒｅｐｈｔｈａｌａｔｅ）等の部材からなるシート６２に、誘導加熱時に高周波電流を通電する誘導加熱用コイル６１が接着されている。この誘導加熱用コイル６１は、シート６２における一方の面に、誘導加熱に適した配線パターンで接着されており、例えば、熱を与えることによって接着力を発生する感熱接着剤６５によって、誘導加熱用コイル６１はシート６２に接着されている。このように、高周波電流を通電する誘導加熱用コイル６１として用いられる導線としては、線径が細く、外周に数μｍ程度の厚さの絶縁被膜が施された素線を複数本撚り合わせたリッツ線が用いられている。
【００３９】
また、シート６２には、誘導加熱用コイル６１が接着されている面の反対の面に、他の部材に対して接着可能な接着層６３が設けられている。誘導加熱用シート６０は、この接着層６３が便座本体部５２に接着されることにより、暖房便座５０に設けられている。このように、誘導加熱用シート６０が便座本体部５２に接着される位置は、便座本体部５２における着座面５３の反対の面になっている。
【００４０】
詳しくは、便座本体部５２は、樹脂材料からなると共に、便器本体５の上部の縁に沿って形成されている。さらに、便座本体部５２は、便器本体５の上部の縁に沿っている部分の各断面形状が、支持軸１６を中心として暖房便座５０を倒した場合における上側に凸となる方向に、概ね湾曲している。
【００４１】
誘導加熱用シート６０は、このように湾曲して形成されている便座本体部５２の凹側の面、或いは、暖房便座５０を倒した場合における便座本体部５２の下側の面に、接着層６３で接着することにより、取り付けられている。
【００４２】
また、便座本体部５２には、暖房便座５０を倒した場合における便器本体５側の位置である便座本体部５２の下方側に、裏蓋５８（図３参照）が結合される。即ち、裏蓋５８は、湾曲して形成される便座本体部５２において、凹んでいる側の部分を閉じる蓋として設けられている。裏蓋５８は、このように便座本体部５２と結合することにより便座本体部５２を閉じることができるように設けられており、便座本体部５２は、裏蓋５８が結合することにより、内側が閉塞した状態になる。このため、誘導加熱用シート６０は、暖房便座５０に内設された状態になる。
【００４３】
また、湾曲して形成されている便座本体部５２の凸側の面であり、暖房便座５０を倒した場合における便座本体部５２の上側の面には、鉄やアルミニウム等の金属材料によって形成される発熱体７０が配設されている。この発熱体７０は、便座本体部５２の上面のほぼ全域を覆って配設されている。
【００４４】
また、便座本体部５２の上側の面は、暖房便座５０の着座面５３として設けられているため、発熱体７０は着座面５３に位置し、暖房便座５０は、発熱体７０の表面が着座面５３となって形成されている。このため、誘導加熱用コイル６１に高周波電流を通電することにより発熱する発熱体７０は、便座本体部５２における誘導加熱用シート６０よりも着座面５３側に配設されている。
【００４５】
なお、着座面５３は、発熱体７０の表面を着座面５３として用いるのではなく、発熱体７０の表面の一部、または全部を覆う薄い化粧板（図示省略）を設け、この化粧板の表面を着座面５３として使用してもよい。
【００４６】
また、このように上側の面に発熱体７０が配設される便座本体部５２の下側の面には、誘導加熱用シート６０が取り付けられている。便座本体部５２において、このように発熱体７０や誘導加熱用シート６０が取り付けられている部分は、湾曲した形状で形成されている。このため、発熱体７０と誘導加熱用シート６０とは、便座本体部５２を介して近接して配設されている。
【００４７】
図８は、図６のＤ−Ｄ矢視図である。図９は、図８に示す誘導加熱用シートに形成される誘導加熱用コイルの配線パターンの説明図である。これらのように、暖房便座５０に内設されている誘導加熱用シート６０は、２つに分割されて設けられている。詳しくは、誘導加熱用シート６０は、支持軸１６を中心とする暖房便座５０の回動方向に直交する方向を中心として、線対称になるように２分割されている。即ち、誘導加熱用シート６０は、２つのシート６２が対称となる形状で形成されており、このそれぞれのシート６２に、誘導加熱用コイル６１が対称となる配線パターンで接着されている。このように、２つに分割された誘導加熱用シート６０は、誘導加熱用コイル６１の配線パターンが、シート６２と共にほぼ線対称になって形成されている。
【００４８】
この実施形態に係る誘導加熱用シート６０、及び暖房便座５０は、以上のごとき構成からなり、以下、その作用について説明する。本実施形態に係る暖房便座５０を備える便器１では、スイッチ基板２５に設けられるスイッチボタンの状態と、便蓋６が開いているか否か等の便器１の状態に応じて、支持体側制御部２０で、電源４０から供給された電気を各電気部品に送電したり、各電気部品の作動を制御したりする。また、暖房便座５０に電気を供給する際には、給電装置３０を介して、便座支持体１２側から暖房便座５０に対して給電する。
【００４９】
給電装置３０を介して暖房便座５０に給電された電気は、便座側制御部２１に送電される。便座側制御部２１では、この電気を、所定の周波数、例えば、２０ｋＨｚ〜１００ｋＨｚ程度の周波数の高周波電流にして、誘導加熱用シート６０が有する誘導加熱用コイル６１に送電する。この高周波電流が誘導加熱用コイル６１に通電されると、誘導加熱用コイル６１の周囲の磁束が高周波に応じて変化する。
【００５０】
高周波電流の通電によって誘導加熱用コイル６１の周囲の磁束が変化した場合、発熱体７０がこの磁束の変化の影響を受け、発熱体７０内に渦電流が流れる。発熱体７０内を電気が流れた場合、発熱体７０は、当該発熱体７０を構成する金属の電気抵抗によって発熱し、暖房便座５０の着座面５３の温度は上昇する。即ち、暖房便座５０は、誘導加熱用コイル６１と発熱体７０との誘導加熱によって温度が上昇する。
【００５１】
また、このように誘導加熱によって暖房便座５０の温度を上昇させる場合には、サーミスタ（図示省略）等の温度検出手段によって暖房便座５０の温度を検出しながら、温度調節を行う。つまり、温度検出手段での検出結果が、予め設定された温度や、スイッチ基板２５のスイッチボタンによって設定された温度よりも低い状態を示している場合には、誘導加熱の出力を大きくする、または、誘導加熱の状態を維持する。これに対し、温度検出手段での検出結果が、予め設定された温度や、スイッチ基板２５のスイッチボタンによって設定された温度よりも高い状態を示している場合には、誘導加熱の出力を小さくする、または、誘導加熱を停止する。これにより、誘導加熱によって上昇させる着座面５３の温度を、所望の温度にする。
【００５２】
次に、本実施形態に係る誘導加熱用シート６０の製造方法について説明する。図１０は、誘導加熱用コイルを型枠に嵌め込む状態を示す説明図、図１１は、図１０のＥ−Ｅ矢視図、図１２は、型枠に嵌め込んだ誘導加熱用コイルにシートをかぶせる状態を示す説明図、図１３は、熱板で押さえてシートに誘導加熱用コイルを接着する際における説明図、図１４は、誘導加熱用コイルが接着されたシートを型枠から取り外す状態を示す説明図である。誘導加熱用シート６０の製造時に誘導加熱用コイル６１をシート６２に接着する場合には、まず、誘導加熱用コイル６１の配線パターンの形状で形成された溝状のパターン枠である型溝８１が形成された型枠８０に、誘導加熱用コイル６１を嵌め込む（図１０）。この型枠８０に形成された型溝８１は、誘導加熱用コイル６１の線径よりも若干溝幅が広くなっており、誘導加熱用シート６０の製造後における誘導加熱用コイル６１の配線パターンの形状、即ち、所望の配線パターンの形状で形成されている。誘導加熱用コイル６１は、このように形成される型溝８１に入れて型溝８１に嵌め込むが、その際に、誘導加熱用コイル６１には、周囲に感熱接着剤６５を塗布してから嵌め込む。
【００５３】
また、このように誘導加熱用コイル６１が嵌め込まれる型溝８１には、溝の長さ方向における所定の間隔で、対向する溝壁のうちの一方の溝壁に、他方の溝壁の方向に突出した凸部８２が形成されている（図１１）。この凸部８２は、他方の溝壁の方向に突出した形状で型溝８１の溝深さの方向に沿って形成されており、型溝８１の開口部側の端部は、面取りが施されている。このため、誘導加熱用コイル６１を型溝８１に嵌め込んだ際には、型溝８１は対向する溝壁によって誘導加熱用コイル６１を支持するのではなく、凸部８２が形成されている溝壁側は、凸部８２が誘導加熱用コイル６１に接触して誘導加熱用コイル６１を支持する。これにより、誘導加熱用コイル６１と型溝８１との接触面積が減少するため、誘導加熱用コイル６１を型溝８１に嵌め込む際における誘導加熱用コイル６１の嵌め込みや、誘導加熱用コイル６１を型溝８１から取り外す際における誘導加熱用コイル６１の取り外しを行い易くなる。
【００５４】
このように形成される型枠８０の型溝８１に誘導加熱用コイル６１を嵌め込んだら、次に、型溝８１に嵌め込まれた状態の誘導加熱用コイル６１に対してシート６２をかぶせる（図１２）。このように、誘導加熱用コイル６１にシート６２をかぶせる際には、シート６２の一方の面に感熱接着剤６５を塗布し、この感熱接着剤６５を塗布した側の面が、型枠８０側、即ち誘導加熱用コイル６１側に面する向きで、型溝８１に嵌め込まれた状態の誘導加熱用コイル６１に対してかぶせる。
【００５５】
型溝８１に嵌め込まれた状態の誘導加熱用コイル６１に対してシート６２をかぶせたら、次に、シート６２を熱板８５で押さえる（図１３）。これにより、熱板８５の熱がシート６２と誘導加熱用コイル６１とに伝わり、共に温度が上昇するが、シート６２における誘導加熱用コイル６１側の面と、誘導加熱用コイル６１の周囲とには、感熱接着剤６５が塗布されている。つまり、シート６２と誘導加熱用コイル６１との接触部分、及びその周囲には、感熱接着剤６５が位置している。この感熱接着剤６５は、温度を上昇させることにより接着力を発生するので、熱板８５の熱が感熱接着剤６５に伝達された場合、これらの部分に位置している感熱接着剤６５も接着力を発生する。これにより、誘導加熱用コイル６１は、感熱接着剤６５によってシート６２に接着される。また、この場合、誘導加熱用コイル６１は、誘導加熱用コイル６１の所望の配線パターンの形状で形成された型溝８１に沿って配設された状態になっているので、シート６２に接着された誘導加熱用コイル６１は、所望の配線パターンで接着される。
【００５６】
誘導加熱用コイル６１をシート６２に接着したら、次に、誘導加熱用コイル６１が接着されたシート６２を型枠８０から取り外す（図１４）。つまり、誘導加熱用コイル６１は、感熱接着剤６５によってシート６２に接着された状態になっているので、シート６２を型枠８０から取り外すことにより、型溝８１に嵌め込まれた誘導加熱用コイル６１も、シート６２を型枠８０から取り外す際に型溝８１から抜き取られる。このように型溝８１から抜き取られた誘導加熱用コイル６１は、型溝８１に沿った配線パターンで接着されることにより所望の配線パターンとなってシート６２に接着されているため、シート６２を型枠８０から取り外すことにより、誘導加熱用シート６０は誘導加熱用コイル６１が所望の配線パターンとなって製造される。
【００５７】
なお、シート６２に設けられ、誘導加熱用シート６０を便座本体部５２に取り付ける際に用いる接着層６３は、シート６２を型枠８０から取り外す前に、シート６２における誘導加熱用コイル６１が接着されている側の面の反対側の面に設けるのが好ましい。例えば、シート６２を型枠８０から取り外す前に、シート６２における接着層６３を設ける面に、両面粘着シート（図示省略）を貼り付けたり、接着剤（図示省略）を塗布したり、或いは、耐熱性のある両面粘着シートを誘導加熱用コイル６１を接着する前に、予めシート６２に貼付しておいたりすることにより、容易に接着層６３を設けることができる。また、感熱接着剤６５は、誘導加熱用コイル６１にのみ、或いは、シート６２にのみ設けておくこともできる。
【００５８】
以上の誘導加熱用シート６０は、誘導加熱用コイル６１を、型枠８０に形成される型溝８１に入れた状態で誘導加熱用コイル６１をシート６２に接着し、その後、誘導加熱用コイル６１を型溝８１から抜き取ることにより、誘導加熱用コイル６１を型溝８１に沿った配線パターンでシート６２に接着することができる。さらに、このシート６２を所望の部位に取り付けることにより、誘導加熱用コイル６１を型溝８１に沿った配線パターンのまま、所望の部位に取り付けることができる。この結果、誘導加熱用コイル６１を所望の部位に容易に取り付けることができる。
【００５９】
また、誘導加熱用シート６０が有するシート６２には、誘導加熱用コイル６１が接着されている面の反対面に、他の部材に対して接着可能な接着層６３が設けられている。これにより、誘導加熱用コイル６１が接着されているシート６２を、この接着層６３の接着力を用いて、容易に他の部材に接着して取り付けることができる。この結果、誘導加熱用コイル６１を、より確実に所望の部位に容易に取り付けることができる。
【００６０】
また、以上の暖房便座５０は、便座本体部５２に、誘導加熱用コイル６１が接着された誘導加熱用シート６０を取り付けるので、発熱体７０が配設される便座本体部５２に、誘導加熱用コイル６１を所望のパターンで容易に取り付けることができる。この結果、誘導加熱用コイル６１を所望の部位に容易に取り付けることができる。
【００６１】
特に、暖房便座５０は、誘導加熱式の調理機器とは異なり、複雑な形状で形成されており、そのため暖房便座５０の場所ごとに、必要な誘導加熱用コイル６１の本数や間隔が異なっている。このため、誘導加熱用コイル６１が接着された誘導加熱用シート６０を取り付けることにより、配線パターンが複雑になる暖房便座５０用の誘導加熱用コイル６１を、容易に便座本体部５２の所望の部位に取り付けることができる。
【００６２】
また、誘導加熱用コイル６１として用いられるリッツ線は、素線の外周に施されている絶縁被膜が数μｍ程度の厚さとなっているため、傷が付いた際に、絶縁破壊が発生し易くなっている。このため、暖房便座５０に複雑な配線パターンで設ける誘導加熱用コイル６１を直接配設した場合には、誘導加熱用コイル６１として用いられるリッツ線に傷が付き、短絡や電気抵抗の増加等の不具合が発生し易くなる。このため、所望の配線パターンで誘導加熱用コイル６１をシート６２に接着した誘導加熱用シート６０を便座本体部５２に取り付けることにより、リッツ線を直接配設した場合の不具合を抑制することができる。この結果、暖房便座５０の誘導加熱の性能を、より確実に確保することができる。
【００６３】
また、誘導加熱用コイル６１が接着された誘導加熱用シート６０を便座本体部５２に取り付けることによって誘導加熱用コイル６１を配設することにより、暖房便座５０の軽量化を図ることができる。図１５は、枠を設けて誘導加熱コイルを設ける場合における説明図である。図１６は、図１５のＦ−Ｆ断面図である。つまり、誘導加熱用コイル６１を所定の部材に取り付ける際に、この部材に図１５、図１６に示すような枠９１を設け、この枠９１に沿って誘導加熱用コイル９０を配設した場合、この枠９１は、誘導加熱用コイル９０を所望の配線パターンで配設した後は不要なものとなる。このため、枠９１を設けて誘導加熱用コイル９０を配設した場合には、この枠９１の分、重量が重くなる。これに対し、本実施形態に係る暖房便座５０では、誘導加熱用コイル６１を所望の配線パターンでシート６２に接着する際に用いる型枠８０は、誘導加熱用コイル６１をシート６２に接着した後は誘導加熱用コイル６１から外し、暖房便座５０自体には取り付けられないため、重量の増加を抑制できる。この結果、重量の増加を招くことなく、誘導加熱用コイル６１を所望の配線パターンで配設することができる。
【００６４】
図１７は、実施形態に係る暖房便座の変形例を示す要部断面図である。図１８は、図１７のＧ−Ｇ断面図である。なお、上述した実施形態に係る暖房便座５０では、裏蓋５８側に設ける部材については説明していないが、裏蓋５８には、磁界を遮蔽するシールド部であるシールド７５が設けられるのが好ましい。このシールド７５は、電気の抵抗値が発熱体７０の抵抗値以下の金属材料からなる薄膜によって形成され、裏蓋５８における便座本体部５２側の面、即ち、暖房便座５０の内側における裏蓋５８に取り付けられるが好ましい。これにより、シールド７５は、誘導加熱用シート６０から見た場合における、発熱体７０が位置する側の反対側に配設される。このようなシールド７５としては、例えば、２０μｍ程度のアルミニウムのシートを裏蓋５８に貼り付けることにより設ける。裏蓋５８に、このような金属材料からなるシールド７５を設けることにより、誘導加熱時に外部への磁界の漏出を抑制できる。
【００６５】
つまり、誘導加熱時に誘導加熱用コイル６１に高周波電流を通電した場合、誘導加熱用コイル６１の周囲に発生した磁界のうち、発熱体７０が位置する側の磁界は発熱体７０によって遮蔽されるため、外部に漏れることはない。これに対し、誘導加熱用シート６０から見た場合における発熱体７０が位置する側の反対側、即ち、裏蓋５８側に、このような磁界を遮蔽するものが存在しない場合には、この部分から磁界が漏出する場合があるが、裏蓋５８にシールド７５を設けることにより、裏蓋５８側の磁界も、シールド７５によって遮蔽することができる。これにより、誘導加熱時に、誘導加熱用コイル６１の周囲に発生した磁界が暖房便座５０の外部に漏出することを抑制することができる。この結果、外部に磁界が漏れず、使い勝手のよい暖房便座５０を実現することができる。
【００６６】
なお、このように、裏蓋５８にシールド７５を設ける場合において、シールド７５を複数の薄膜によって設ける場合、複数の板の接続部７６は、ハンダ付け等で切れ目なく接続するのが好ましい。このように、接続部７６を切れ目なく接続することにより、電気的に切れた部分がなく、シールド７５を一体に形成することができるので、より確実に磁界をシールド７５で遮蔽し、磁界の漏出を抑制することができる。
【００６７】
また、このような磁界の漏出を抑制するシールド７５を設ける場合には、金属薄膜以外によって設けてもよく、例えば、裏蓋５８に、低抵抗の導電メッキを施してもよい。このように、シールド７５を、導電メッキを施すことにより設けた場合には、暖房便座５０の組み立て時における組付け工数を削減することができる。これにより、製造コストの上昇を抑えつつ、磁界の漏出を抑制することができる。
【００６８】
図１９は、実施形態に係る暖房便座の変形例を示す要部断面図である。この例では、誘導加熱用シート６０が有する誘導加熱用コイル６１は、その表面を絶縁性のある保護被膜６８っている。誘導加熱用コイル６１として用いられるリッツ線は、素線の外周に施されている絶縁被膜が数μｍ程度の厚さとなっているため、傷が付いた際に、絶縁破壊が発生し易くなっているが、リッツ線の束である誘導加熱用コイル６１の表面を絶縁性のある保護被膜６８で覆うことにより、誘導加熱用コイル６１の保護性を向上させることができる。これにより、誘導加熱用コイル６１を型枠８０の型溝８１に入れる際に誘導加熱用コイル６１に傷が付いたり破損したりすることを抑制することができ、誘導加熱用コイル６１の取り扱いの容易性を向上させることができる。この結果、誘導加熱用コイル６１を、より確実に所望の部位に容易に取り付けることができる。
【００６９】
また、暖房便座５０は、起立させたり倒したりするため、その際における振動が生じ易くなっており、また、便器本体５の上に配設されるため、高湿度である場合が多いなど、使用環境が苛酷なものとなっている。このため、誘導加熱用コイル６１の表面を保護被膜６８で覆って保護性を向上させることにより、このような過酷な環境においても、誘導加熱用コイル６１を用いた誘導加熱を、より確実に行うことができる。この結果、より信頼性の向上を図ることができる。
【００７０】
また、裏蓋５８における誘導加熱用シート６０が配設されている側の面には、ウレタンフォーム等の弾性部材により形成され、誘導加熱用シート６０に当接することにより、誘導加熱用シート６０を便座本体部５２に取り付けられている方向に押圧する押圧手段（図示省略）が設けられているのが好ましい。このような押圧手段を設けることにより、便座本体部５２に取り付けられている誘導加熱用シート６０の取り付け状態を維持することができ、誘導加熱用コイル６１を便座本体部５２に取り付ける際の確実性を向上させることができる。この結果、誘導加熱用コイル６１を所望の部位に容易に、且つ、確実に取り付けることができる。
【産業上の利用可能性】
【００７１】
以上のように、本発明に係る誘導加熱用シート、暖房便座及び誘導加熱用シートの製造方法は、誘導加熱を行う誘導加熱用コイルにリッツ線が用いられる場合に有用であり、特に、誘導加熱用コイルを取り付ける部分の形状が複雑な形状である場合や、誘導加熱用コイルの配線パターンが複雑な場合に適している。
【符号の説明】
【００７２】
１  便器
５  便器本体
６  便蓋
１０  便座ユニット
１２  便座支持体
２０  支持体側制御部
２１  便座側制御部
３０  給電装置
４０  電源
５０  暖房便座
５２  便座本体部
５３  着座面
５８  裏蓋
６０  誘導加熱用シート
６１  誘導加熱用コイル
６２  シート
６３  接着層
６５  感熱接着剤
６８  保護被膜
７０  発熱体
７５  シールド
８０  型枠
８１  型溝
８５  熱板
【図１】
2011243417.tif 000003
【図２】
2011243417.tif 000004
【図３】
2011243417.tif 000005
【図４】
2011243417.tif 000006
【図５】
2011243417.tif 000007
【図６】
2011243417.tif 000008
【図７】
2011243417.tif 000009
【図８】
2011243417.tif 000010
【図９】
2011243417.tif 000011
【図１０】
2011243417.tif 000012
【図１１】
2011243417.tif 000013
【図１２】
2011243417.tif 000014
【図１３】
2011243417.tif 000015
【図１４】
2011243417.tif 000016
【図１５】
2011243417.tif 000017
【図１６】
2011243417.tif 000018
【図１７】
2011243417.tif 000019
【図１８】
2011243417.tif 000020
【図１９】
2011243417.tif 000021